(57)【要約】【課題】  手すり等の把持部が設けられていない入浴用搬送具に対しても、機械的な追加工を施すことなく把持部を後付け可能とした入浴用搬送具を提供する。【解決手段】  被介助者を載せて入浴させるための入浴用担架１において、被介助者の上半身近傍に、入浴用担架１に掛け渡されるバンド２１と、このバンド２１に設けられた少なくとも一つの取手２２を備え、この取手２２をバンド２１の長手方向に移動可能とした。【選択図】  図１
2006116173.tif 000002
【特許請求の範囲】
【請求項１】
被介助者を載せて入浴させるための入浴用搬送具であって、
前記被介助者の上半身近傍において、搬送具に掛け渡されるバンドと、
このバンドに設けられた少なくとも一つの把持部とを有することを特徴とする入浴用搬送具。
【請求項２】
前記把持部の位置を、バンドの長手方向に移動可能としたことを特徴とする請求項１に記載の入浴用搬送具。
【請求項３】
被介助者を載せて入浴させるための入浴用搬送具に用いられるバンドであって、
少なくとも一つの把持部と、このバンドに設けられた前記入浴用搬送具に取り付けるための取り付け部とを有することを特徴とする入浴用搬送具用バンド。
【発明の詳細な説明】
【技術分野】
【０００１】
本発明は、体が不自由な者等（以下、被介助者と記す）を入浴させる際に使用される担架等の入浴用搬送具及び入浴用搬送具用バンドに関する。
【背景技術】
【０００２】
被介助者を入浴させるにあたり、被介助者が載せられている担架をストレッチャー等に載置させたまま昇降式浴槽まで移動してそれに横付けし、搬送具ごと昇降式浴槽上に移動させた後、浴槽本体を上昇させ、これにより、被介助者を動かすことなく入浴させ得る入浴システムが知られている。
【０００３】
ところで被介助者を入浴させるに際しては、搬送具に載せられている被介助者の手足が搬送具本体の外にはみ出してしまうと、手足が浴槽等にぶつかる場合があり、被介助者に不快感を与える場合がある。
従って、入浴用搬送具においては、安全確認のため、搬送具に載せられている被介助者の手足の位置が、介助者等からはっきりと確認できるようにすることが極めて重要であり、近年、かかる要請がますます強くなっている。
【０００４】
例えば下記特許文献１に記載されている入浴用担架においては、担架に一対の手すりを設け、被介助者がこの手すりを把持できる構成とされている。
【０００５】
図４は、特許文献１に記載の入浴用担架１０１を示すものであり、入浴用担架１０１は、フレームの上部に載置された担架本体１０２、及びこの担架本体１０２に着脱可能に取り付けられたマット１０３とを有している。 
また、回動可能とされた左右一対のサイドフェンス１０４，１０４が、通常起立状態で固定され、被介助者が当該入浴用担架上に載り移るときあるいはこの担架から降りるときに、下方に垂れさがるように回動される。
【０００６】
担架本体１０２は、長手方向に沿って、被介助者の上半身を支える背支持部１０２ａ、被介助者の腰部及び大腿部を支持する腰支持部１０２ｂ、被介助者のすね等を支持するすね支持部１０２ｃを有する三分割構造とされている。
担架本体１０２のすね支持部１０２ｃには足当て１０５が回動可能に設けられている。
また、担架本体１０２の腰支持部１０２ｂ及び背支持部１０２ａにはそれぞれ被介助者をこの入浴用担架１０１に固定するための２つのベルト１０６，１０６が取り付けられている。
【０００７】
さらに、担架本体１０２の背支持部１０２ａには、枕１０７が取り付けられていると共に、左右両端に一対の手すり１０８，１０８が昇降可能に設けられている。
従って、被介助者が入浴の際には、この手すり１０８，１０８を把持させることにより、介助者等は、被介助者の手の位置を目視で確認し、被介助者を図示しない昇降式浴槽まで移動することができるようにされている。
【特許文献１】特開２０００−１４７３６号公報
【発明の開示】
【発明が解決しようとする課題】
【０００８】
ところで、これまでに市販されている入浴用搬送具には、手すり自体が設けられていないものも多数存在するが、入浴用搬送具に機械的な追加工を施して手すりを後付けすることは、搬送具自体の強度的な信頼性を低下させる場合もあるため、実際上、手すりに相当するものを後付けすることは行われていなかった。
このため、被介助者の手の位置が身体の上部で安定せず、介助者等が移送時に手の位置を確認し難いという問題があった。
【０００９】
また、上述した従来の入浴用担架１０１においては、一対の手すり１０８，１０８は、担架本体１０２の左右両端に設けられており、被介助者は、マット１０３上に仰臥した状態でこれらを把持する必要がある。
ところが被介助者の中には、マヒ症状等により仰向けの姿勢を取ることができず、横向きに横臥せざるを得ない場合があり、このような場合には、手すり１０８，１０８を両手で把持することが極めて困難であった。
【００１０】
本発明は、かかる課題に鑑みて為されたものであり、仰向けの姿勢を取ることが困難な被介助者であっても、容易に手の位置を固定できる把持部を備えた入浴用搬送具を提供することを目的とするものである。
また、本発明は、手すり等の把持部が設けられていない入浴用搬送具に対しても、機械的な追加工を施すことなく把持部を後付け可能とした入浴用搬送具用バンドを提供することを目的とするものである。
【課題を解決するための手段】
【００１１】
上記課題を解決して、このような目的を達成するために、請求項１記載の入浴用搬送具は、被介助者の上半身近傍において、搬送具に掛け渡されるバンドと、このバンドに設けられた少なくとも一つの把持部とを有することを特徴とするものである。
この発明に係る入浴用搬送具によると、上半身近傍に掛け渡されるバンドに設けられた把持部が、被介助者によって容易に把持される。
【００１２】
請求項２記載の入浴用搬送具は、前記把持部の位置を、バンドの長手方向に移動可能としたことを特徴とするものである。
この発明に係る入浴用搬送具によると、被介助者の取り得る姿勢に応じて把持部の位置が適宜調節される。
【００１３】
請求項３記載の入浴用搬送具用バンドは、少なくとも一つの把持部と、このバンドに設けられた前記入浴用搬送具に取り付けるための取り付け部とを有することを特徴とするものである。
この発明に係る入浴用搬送具用バンドによると、バンドに設けられた把持部が、被介助者によって容易に把持される。
また、このバンドが入浴用搬送具に取り付けられた状態で、被介助者の取り得る姿勢に応じて把持部の位置が適宜調節される。
【発明の効果】
【００１４】
請求項１に係る入浴用搬送具によれば、把持部が設けられていない入浴用搬送具に対しても、把持部を設けたバンドを掛け渡すことにより、後付け可能とした入浴用搬送具を提供することができる。
【００１５】
また、請求項２に係る入浴用搬送具によれば、仰向けの姿勢を取ることが困難な被介助者であっても、容易に手の位置を固定できる把持部を備えた入浴用搬送具を提供することができる。
【００１６】
また、請求項３に係る入浴用搬送具用バンドによれば、入浴用搬送具に後付け可能であると共に、仰向けの姿勢を取ることが困難な被介助者であっても、容易に手の位置を固定できる把持部を備えたバンドを提供することができる。
【発明を実施するための最良の形態】
【００１７】
図１乃至図３は、本発明に係る入浴用搬送具の実施の形態である入浴用担架を示すものであり、図１は入浴用担架の平面図、図２は図１の要部拡大図、図３は図２の要部側面図を示すものである。
【００１８】
図１乃至図３において、入浴用担架１は、担架本体２と、担架本体２に着脱可能に取り付けられた頭部側のマット３と、体部側のマット４を備えていると共に、被介助者の身体部を担架本体２の上に固定するための２つのベルト５，５と、足あて６を備えている。
【００１９】
担架本体２は、長手方向に沿って、被介助者の上半身を支える背支持部２ａ、被介助者の腰部及び大腿部を支持する腰支持部２ｂ、被介助者のすね等を支持するすね支持部２ｃを有する三分割構造とされている。背支持部２ａは、図示しない支軸により上方に回動可能な構造とされている。
【００２０】
また、入浴用担架１には、被介助者の担架からの滑り落ちを防止するため、担架本体２の胴体側の両側に垂直に取り付けられた回動可能な左右一対のサイドフェンス７，７と、同じく頭部側の両側に垂直に取り付けられた回動可能な左右一対の上肢用サイドフェンス８，８が設けられている。
これらサイドフェンス７，７、上肢用サイドフェンス８，８は、通常被介助者が仰臥した状態で起立して固定され、被介助者が当該入浴用担架上に載り移るときあるいはこの担架から降りるときに、下方に垂れさがるように回動される。
【００２１】
上肢用サイドフェンス８は、スチールパイプ製で四角形枠形状のパイプ部材９により形成されており、この上肢用サイドフェンス８の内側面には板状の緩衝材１０が図示しない締結部材によって固定されている。
この緩衝材１０には、発泡ゴム等の弾力のある材料が用いられており、要介助者の上半身が直接パイプ部材９にぶつかることを防止している。
【００２２】
また、本実施の形態においては、上肢用サイドフェンス８，８の間にバンド２１が掛け渡されており、このバンド２１の上面には、２つの取手（把持部）２２，２２が縫合、リベット止め等の適宜の方法で取り付けられている。
【００２３】
バンド２１の構造を図２及び図３に基づいて詳述すると、本実施の形態においては、このバンド２１は、長尺部２１ａ、短尺部２１ｂが、図２において左側端部近傍に設けられたバックル２３により連結された構成とされている。
【００２４】
長尺部２１ａには、前述した取手２２，２２が取り付けられていると共に、この長尺部２１ａの一端は、図２において右側のパイプ部材９の上部に巻き回され、バンド２１の一端と途中部分とにマジックテープ（登録商標）のような面ファスナー２４が取り付けられている。
また、長尺部２１ａの他端は、バックル２３の雌部２３ａに装着されている。
【００２５】
短尺部２１ｂの一端は、図２において左側のパイプ部材９の上部に巻き回されてアジャスター２５に挿通されている。
また、短尺部２１ｂの他端は、バックル２３の雄部２３ｂに装着されている。
【００２６】
そして、アジャスター２５で短尺部２１ｂの長さを設定すると共に、面ファスナー２４により長尺部２１ａの長さを調整することで、長尺部２１ａの張架状態を維持しながら取手２２の位置が調節される。
つまり、面ファスナー２４とアジャスター２５によって把持部位置の調整手段が構成されている。
【００２７】
また、図２に示されるように、取手２２には、中空部２２ａとグリップ部２２ｂが形成されており、要介助者が握り易い構造とされている。
【００２８】
本実施の形態の入浴用担架１によれば、手すり等が設けられていない入浴用担架に対しても、取手２２を設けたバンド２１を掛け渡すことにより、把持部を後付け可能とできるので、入浴用担架１に載せられている被介助者の手で取手２２，２２を握らせることにより、被介助者の手の位置を、介助者等からはっきりと確認できる。
【００２９】
また、本実施の形態の入浴用担架１によれば、バンド２１は、面ファスナー２４及びアジャスター２５を備えているので、取手２２の位置を入浴用担架１の幅方向に移動させることができ、仰向けの姿勢を取ることが困難な被介助者であっても、横臥した状態で容易に取手２２を掴むことができる。
【００３０】
なお、本発明は上記した実施の形態に限定されるものではなく、その趣旨を逸脱しない範囲内で適宜変更可能である。例えば、上記した実施の形態では、入浴用担架について説明しているが、入浴用車椅子に採用しても良い。
【００３１】
また、サイドフェンスを備えていない入浴用搬送具の場合には、バンド２１をリング状に形成して搬送具の幅方向に巻き回すようにするか、機械的な追加工を施さないで取り付けられたクランプやねじばさみの如きアタッチメントを介してバンド２１を掛け渡すようにすれば良い。
また、バンド２１の両端とも面ファスナー２４としたり、両端ともアジャスター２５としても良い。
更に、バンド２１を長尺部２１ａ、短尺部２１ｂの二分割構造とせず、入浴用搬送具の幅方向に周回させた一巻き構造としても構わない。
【００３２】
また、上記した実施の形態においては、取手２２を２つ設けているが、少なくとも１つあれば本発明の目的を達成できる。
また、取手２２を３つ以上設けることにより、要介助者がいかなる姿勢を取っても、把持部の位置を調整することなく近傍の取手２２を掴めるようにすることも可能である。
更に、取手２２のそれぞれを独立してバンド２１上をスライドできるように構成し、要介助者がいかなる姿勢を取っても、取手２２を掴めるようにすることも可能である。
【図面の簡単な説明】
【００３３】
【図１】本発明の実施の形態による入浴用担架の平面図である。
【図２】図１に示す入浴用担架の要部拡大図である。
【図３】図２の要部側面図である。
【図４】従来の入浴用担架の平面図である。
【符号の説明】
【００３４】
１  入浴用担架（入浴用搬送具）  ２  担架本体  ８  上肢用サイドフェンス  ２１  バンド  ２２  取手  ２３  バックル  ２４  面ファスナー  ２５  アジャスター
【図１】
2006116173.tif 000003
【図２】
2006116173.tif 000004
【図３】
2006116173.tif 000005
【図４】
2006116173.tif 000006